【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
煉瓦構造を設計するためのコンピュータ支援設計ソフトウェアであって、前記コンピュータ支援設計ソフトウェアが、ユーザが建築計画データを入力することを可能にするユーザ・インターフェースを有し、前記コンピュータ支援設計ソフトウェアが、前記建築計画データから、所定の既知の壁長寸法を有する壁の縮尺平面図を表すデータを生成し、前記コンピュータ支援設計ソフトウェアが、前記壁の高さに相応する長さの仮想押出(extrusion)を生成し、
前記コンピュータ支援設計ソフトウェアが、原点に対する各煉瓦の三次元における位置および方位を識別し、壁交差における煉瓦の敷き詰めおよび煉瓦のネスティングを決定し、所定の最小切断煉瓦長を考慮して、壁長の要求寸法に合わせるために長さ調整される個々の煉瓦についての切断長データを決定することによって、前記壁に対して煉瓦毎の配置データを決定し、
前記コンピュータ支援設計ソフトウェアが、煉瓦配置データベースをコンパイルし、前記煉瓦配置データベースが、煉瓦の種類、各煉瓦の前記原点に対する三次元における位置および方位、ならびに長さ調整されると特定された煉瓦毎の切断長データを含む、コンピュータ支援設計ソフトウェア。
【請求項２】
請求項１記載のコンピュータ支援設計ソフトウェアであって、１つ以上のユーザ選択可能な設定値を収容する第１表を有し、根幹煉瓦の種類およびサイズ・パラメータを格納し、壁に対して選択することを可能にする、コンピュータ支援設計ソフトウェア。
【請求項３】
請求項１または２記載のコンピュータ支援設計ソフトウェアにおいて、前記建築計画データが、外壁および内壁の縮尺平面図を表す、コンピュータ支援設計ソフトウェア。
【請求項４】
前出の請求項のいずれか１項記載のコンピュータ支援設計ソフトウェアにおいて、前記コンピュータ支援設計ソフトウェアが、フーティング・データおよび／またはコンクリート・パッド・データを生成し、前記データが、前記フーティングおよび／またはコンクリート・パッドの原点に対する寸法、位置、および方位、前記外壁の底面と随意に内壁の底面との間における相対的高さオフセット、ならびに内壁の異なるセクション間における相対的高さオフセットを含み、随意に、前記パッドを形成するために必要とされるコンクリートの分量を決定する、コンピュータ支援設計ソフトウェア。
【請求項５】
前出の請求項のいずれか１項記載のコンピュータ支援設計ソフトウェアにおいて、前記コンピュータ支援設計ソフトウェアが、前記押出における空隙および／または開口についての位置決めデータのユーザ入力および格納を可能にし、前記空隙および／または開口が、前記完成した建物に嵌め込まれるドアおよび窓の高さおよび幅に相応する寸法である、コンピュータ支援設計ソフトウェア。
【請求項６】
前出の請求項のいずれか１項記載のコンピュータ支援設計ソフトウェアにおいて、前記コンピュータ支援設計ソフトウェアが、前記外壁および前記内壁における配管、電気およびＩＣＴ（情報および通信技術）、音響および映像配線、ならびに接続点の内少なくとも１つについての施工位置決めデータのユーザ入力および格納を可能にし、前記コンピュータ支援設計ソフトウェアが、施工を遂行(carry)するための前記壁内における溝についての位置決めデータ、および前記壁における前記接続点のための陥凹についての位置決めデータを生成し、前記コンピュータ支援設計ソフトアウェアが、前記溝および陥凹の位置決めデータにしたがって個々の煉瓦に加工する陥凹および空洞の位置についての加工データを生成し、前記加工データを前記煉瓦配置データベースに格納する、コンピュータ支援設計ソフトウェア。
【請求項７】
前出の請求項のいずれか１項記載のコンピュータ支援設計ソフトウェアであって、各煉瓦を敷く順序を決定するように構成され、前記煉瓦配置データベースにおいて、前記煉瓦敷設順序を識別するために、各煉瓦に割り当てられるインデックス番号を作成する、コンピュータ支援設計ソフトウェア。
【請求項８】
前出の請求項のいずれか１項記載のコンピュータ支援設計ソフトウェアにおいて、各煉瓦上の基準位置が、長さ調整されたまたは完全体の、各煉瓦の全ての寸法の重心であり、刳り抜きされた切り欠きや陥凹を全く考慮しない、コンピュータ支援設計ソフトウェア。
【請求項９】
請求項４から８のいずれか１項記載のコンピュータ支援設計ソフトウェアにおいて、前記外壁の底面と前記内壁の底面との間における相対的な高さのオフセットを、前記外側段および内側段の第１煉瓦段に対する異なる高さ値において反映することができる、コンピュータ支援設計ソフトウェア。
【請求項１０】
前出の請求項のいずれか１項記載のコンピュータ支援設計ソフトウェアにおいて、隣接する煉瓦間における異なる間隔、および隣接する煉瓦間における接着剤またはモルタルの厚さが考慮され、隣接煉瓦間隔Ａおよび煉瓦基礎間隔Ｂが煉瓦配置データベースに格納される、コンピュータ支援設計ソフトウェア。
【請求項１１】
前出の請求項のいずれか１項記載のコンピュータ支援設計ソフトウェアにおいて、
ａ．切断煉瓦に対して、前記設計ソフトウェアが、前記切断の座標を前記データベースにエクスポートする、
ｂ．刳り抜きされた煉瓦に対して、前記設計ソフトウェアが、刳り抜き(rout)の座標を前記データベースにエクスポートする、
のうちの少なくとも一方である、コンピュータ支援設計ソフトウェア。
【請求項１２】
前出の請求項のいずれか１項記載のコンピュータ支援設計ソフトウェアにおいて、前記設計ソフトウェアの煉瓦配置データベースが、煉瓦毎に切り詰め値または切り詰め値アレイを格納する少なくとも１つの切り詰めデータ・フィールドを含む、コンピュータ支援設計ソフトウェア。
【請求項１３】
請求項６から１２のいずれか１項記載のコンピュータ支援設計ソフトウェアであって、１つ以上の建築計画に関連するデータを前記データ集合の形態で格納する第１ライブラリを有し、１つ以上の既定の部屋に関連するデータを格納する第２ライブラリをオプションとして有し、複数のドアおよび窓に関連するデータを格納する第３ライブラリであって、前記データが、選択されたドアまたは窓に基づいて前記位置データを決定するときに使用される根幹項目についてのデータに対応する、第３ライブラリを更にオプションとして有する、コンピュータ支援設計ソフトウェア。
【請求項１４】
煉瓦構造の建物またはその他の構造体を建築するために煉瓦敷設機械を制御する制御ソフトウェアであって、前記制御ソフトウェアが、前出の請求項のいずれか１項記載のコンピュータ支援設計ソフトウェアによってコンパイルされた煉瓦配置データベースにアクセスし、前記制御ソフトウェアが、前記煉瓦配置データベースに格納されているデータにしたがって、各前記煉瓦を切断し、更に随意に加工するように前記機械を制御し、各前記煉瓦を１つずつ運搬し、接着材を塗布し、前記煉瓦配置データベースに格納されているデータにしたがって各前記煉瓦を配置するように前記機械を制御する、制御ソフトウェア。
【請求項１５】
請求項１４に記載の制御ソフトウェアにおいて、前記制御ソフトウェアが、各煉瓦を敷く順序を決定し、煉瓦敷設順を識別するために、各煉瓦に割り当てられるインデックス番号を作成し、前記インデックス番号を前記煉瓦配置データベースに入力する、制御ソフトウェア。
【請求項１６】
構造物の建築方法であって、利用しようとする煉瓦のサイズを決定するステップと、所定の既知の壁長寸法を用いて、壁の縮尺平面図を作成するステップと、前記壁に対して、煉瓦毎の配置データを決定するステップであって、各煉瓦の三次元における位置および方位の識別と、壁長の要求寸法に合わせるために長さ調整される各々の煉瓦の三次元における位置および方位の識別とを含み、更に、各煉瓦を敷く順序を決定し、このデータを煉瓦配置データベースに格納するステップと、煉瓦が敷かれる表面範囲の相対的表面高さを測定し、前記煉瓦配置データにしたがって各煉瓦が配置される少なくとも１つの位置について、フーティングの高さを記録し、煉瓦毎に少なくとも前記１つの位置に対して、煉瓦の少なくとも第１段に対して最低地点から最高地点までの前記フーティングの高さの差を決定し、前記煉瓦毎に前記少なくとも１つの位置に対する切り詰め値または切り詰め値アレイの形態で、最低地点からの差を切り詰めデータとして格納し、前記差が、少なくとも第１段が、敷かれたときに、その上面が平坦となるように、各煉瓦の水平面から加工する量と対応し、前記切り詰めデータが前記煉瓦配置データと共に格納される、ステップと、前記煉瓦配置データにしたがって各前記煉瓦を切断し、各前記煉瓦を１つずつ運送し、接着材を塗布し、前記煉瓦配置データにしたがって各前記煉瓦を配置するステップとを含む、構造物の建築方法。
【請求項１７】
請求項１６に記載の方法において、前記建物または構造物が、要求高さに完成するまで、１段ずつ建築されてもよい、方法。